(57)【要約】【課題】  少量の納豆を例えばカラシやだし汁と共に収納して食卓に供する納豆容器において、極めて簡便に開蓋できるように形成した納豆容器を提供する。【解決手段】  上面が開放され、納豆を収納する容器部１、蓋部２、容器部１と蓋部２とを接続するヒンジ部４から構成され、容器部１および蓋部２は夫々を囲周してフランジ部３ａ、３ｂを有し、両フランジ部３ａ、３ｂの一端はヒンジ部４を介して接続され、かつ発泡性合成樹脂で一体成型される方形の納豆容器であって、納豆を収納した容器部１と蓋部２とが閉じられた後、ヒンジ部４に対向する両フランジ部３ａ、３ｂがスポット熱融着して封緘される納豆容器において、該ヒンジ部４の折り曲げ部分に接して内側に線状の切断子５ａを配置し、該切断子５ａの両端部は該ヒンジ部４から外方向に延びる納豆容器。【選択図】図１
2017210294.tif 000002
【特許請求の範囲】
【請求項１】
上面が開放され、納豆を収納する容器部、蓋部、該容器部と該蓋部とを接続するヒンジ部から構成され、該容器部および該蓋部は夫々を囲周してフランジ部を有し、両フランジ部の一端は該ヒンジ部を介して接続され、かつ発泡性合成樹脂で一体成型される方形の納豆容器であって、納豆を収納した該容器部と該蓋部とが閉じられた後、該ヒンジ部に対向する両フランジ部がスポット熱融着して封緘される納豆容器において、該ヒンジ部の折り曲げ部分に接して内側に線状の切断子を配置し、該切断子の両端部は該ヒンジ部から外方向に延びることを特徴とする納豆容器。
【請求項２】
上記切断子は、該切断子の端部を封緘された上記納豆容器に対して水平方向に外側へ引張った際に、上記ヒンジ部を容易に破断できると共に、破断部分が小さな破片を生じることなく破断できる引張強度を有することを特徴とする請求項１に記載の納豆容器。
【請求項３】
上記切断子は、その端部が上記納豆容器の外側に固定されることを特徴とする請求項１または２のいずれかに記載の納豆容器。
【請求項４】
上記切断子は、その端部が上記納豆容器の外側にスポット熱溶着されることを特徴とする請求項１または２のいずれかに記載の納豆容器。
【請求項５】
上記切断子は、環状であることを特徴とする請求項１または２のいずれかに記載の納豆容器。
【請求項６】
上記切断子は、その少なくとも一部分が粘着性物質で被覆され、上記ヒンジ部の折り曲げ部分に接して内側に粘着されることを特徴とする請求項１ないし５のいずれかに記載の納豆容器。
【請求項７】
上記切断子は、その少なくとも一部分がテープ状の粘着性薄片を用いて上記ヒンジ部の折り曲げ部分に接して内側に粘着されることを特徴とする請求項１ないし５のいずれかに記載の納豆容器。
【発明の詳細な説明】
【技術分野】
【０００１】  本発明は、少量の納豆を例えばカラシやだし汁と共に収納して食卓に供する納豆容器に関し、より詳しくは使用時に極めて容易に開蓋できるように形成した納豆容器に関する。
【背景技術】
【０００２】  従来、工場で蒸煮された大豆の煮豆は、納豆菌とともに納豆容器に詰められ蓋をして一定期間発酵させて納豆に変化させた後、食卓用納豆として市場に提供される。納豆容器に収納された少量の納豆は、付帯されるカラシやだし汁などの調味料と共にかき混ぜて食用される。【０００３】  通常、この種の納豆容器は、発泡スチロールなどの発泡性合成樹脂で一体成型された方形のものであり、納豆を入れる方形の容器部と蓋部とはヒンジ部を介して接続される。より詳しくは、容器部および蓋部は、夫々を囲周するフランジ部を有し、フランジ部の一端でヒンジ部を介して接続され、また容器部と蓋部とは、ヒンジ部に対向する端部で両フランジ部をスポット熱融着して封緘される。【０００４】  また、スポット熱溶着の強度は、使用者が指先を用いて容易に破断できると共に、納豆容器の輸送中にスポット熱溶着部分の破損を回避できる程度の強度が要求される。しかし、使用者がこのような納豆容器から蓋部を切り離して開蓋する際に、容器部や蓋部を破損して内容物がこぼれたり指先が汚れたりする場合が多かった。特に高齢者、幼児、あるいは手に障がいのある者にとっては、納豆容器を破損することなく開蓋することは、困難な操作であった。【０００５】  このような納豆容器を容易に開蓋するために、ヒンジ部に破断し易い切り込みを形成する方法（特許文献１）や、フランジ部に切れ目と切り欠きを形成した納豆容器（特許文献２）が提案されている。
しかし、特許文献１の方法は、ヒンジ部の切り込みを破断する前の作業として、先ずスポット熱溶着部分を破断するという指作業を必要とする。これは、スポット熱溶着されているフランジ部を破損し易く、使用者にとって困難な指作業を必要とするものであった。
さらに、特許文献２の方法は、ヒンジ部の切り込みを破断したり、フランジ部の切れ目を欠くという細かな指作業を、依然として伴うものであった。【０００６】  なお、卵容器の合成樹脂製容器においては、容器部および蓋部の両フランジ部を接着性テープで閉じ、開蓋する際に接着性テープを剥がす方法（特許文献３）、ヒンジ部に破線状の切れ目を形成すると共に、糸状体を設置する方法（実開平６−２７６６０号公報）などが提案されている。
しかし、発泡スチロールなどの発泡性合成樹脂で一体成型される納豆容器は、卵容器の合成樹脂製容器に比べて強度が著しく低い。したがって、これらの開蓋方法を納豆容器に適用した場合には、接着テープを剥がす際にフランジ部を破損したり、またヒンジ部に破断し易い切れ目を設けた場合には、輸送する際などに不用意にヒンジ部を破損するという問題がある。
【先行技術文献】
【特許文献】
【０００７】
【特許文献１】特開２００２−１２２８３号公報
【特許文献２】実登３１０６７６２号公報
【特許文献３】特開平１０−３１６１８８号公報
【特許文献４】実開平６−２７６６０号公報
【発明の概要】
【発明が解決しようとする課題】
【０００８】  上記の特許文献１および特許文献２に開示される納豆容器においては、健常者はもとより、特に高齢者、幼児、あるいは手に障がいのある者にとって、納豆容器を容易には開蓋できず、また納豆容器を製造する工程が複雑になるという欠点があった。
特に、高齢者、幼児、あるいは手に障がいのある者においては、封緘された納豆容器のフランジ部の隙間に指先を入れること自体が困難な作業であり、さらにスポット熱融着部分を破断する際にフランジ部を破損し易く、多くの場合補助者が開蓋しなければならないという問題があった。
本発明は、このような従来の問題点を解消するために為されたものである。
【課題を解決するための手段】
【０００９】  本発明者は、上記の問題点を解決すべく鋭意検討した結果、ヒンジ部の折り曲げ部分に接して内側に線状の切断子を配置することによって、納豆容器の蓋部を極めて容易に切離して開蓋することができ、しかも納豆容器の製造工程を複雑にすることなく、納豆容器を安価に製造することができるようにした。【００１０】  すなわち、本発明の第１の発明は、上面が開放され、納豆を収納する容器部、蓋部、該容器部と該蓋部とを接続するヒンジ部から構成され、該容器部および該蓋部は夫々を囲周してフランジ部を有し、両フランジ部の一端は該ヒンジ部を介して接続され、かつ発泡性合成樹脂で一体成型される方形の納豆容器であって、納豆を収納した該容器部と該蓋部とが閉じられた後、該ヒンジ部に対向する両フランジ部がスポット熱融着して封緘される納豆容器において、該ヒンジ部の折り曲げ部分に接して内側に線状の切断子を配置し、該切断子の両端部は該ヒンジ部から外方向に延びる納豆容器を提供する。【００１１】  また、本発明の第２の発明により、第１の発明における上記切断子は、該切断子の端部を封緘された上記納豆容器に対して水平方向に外側へ引張った際に、上記ヒンジ部を容易に破断できると共に、破断部分が小さな破片を生じることなく破断できる引張強度を有する納豆容器を提供する。【００１２】  また、本発明の第３の発明により、第１および第２の発明における上記切断子は、その端部が上記納豆容器の外側に固定される納豆容器を提供する。【００１３】  また、本発明の第４の発明により、第１および第２の発明における上記切断子は、その端部が上記納豆容器の外側にスポット熱溶着される納豆容器を提供する。【００１４】  また、本発明の第５の発明により、第１および第２の発明における上記切断子は、環状である納豆容器を提供する。【００１５】  また、本発明の第６の発明により、第１ないし第５の発明における上記切断子は、その少なくとも一部分が粘着性物質で被覆され、上記ヒンジ部の折り曲げ部分に接して内側に粘着される納豆容器を提供する。【００１６】  また、本発明の第７の発明により、第１ないし第５の発明における上記切断子は、その少なくとも一部分がテープ状の粘着性薄片を用いて上記ヒンジ部の折り曲げ部分に接して内側に粘着される納豆容器を提供する。【００１７】  なお、本発明について、好ましい態様を次に示す。
第一の好ましい態様は、上面が開放され、納豆を収納する容器部、蓋部、該容器部と該蓋部とを接続するヒンジ部から構成され、該容器部および該蓋部は夫々を囲周してフランジ部を有し、両フランジ部の一端は該ヒンジ部を介して接続され、かつ発泡性合成樹脂で一体成型される方形の納豆容器であって、納豆を収納した該容器部と該蓋部とが閉じられた後、該ヒンジ部に対向する両フランジ部がスポット熱融着して封緘される納豆容器において、少なくとも一部分が粘着性物質で被覆された線状の切断子が該ヒンジ部の折り曲げ部分に接して内側に粘着され、かつ該切断子は、該切断子の端部を封緘された該納豆容器に対して水平方向に外側へ引張った際に該ヒンジ部を容易に破断できると共に、破断部分が小さな破片を生じることなく破断できる引張強度を有し、さらに該切断子の両端部は該ヒンジ部から外方向に延び、その端部は該納豆容器の外側に固定されてなる納豆容器である。【００１８】  第二の好ましい態様は、上面が開放され、納豆を収納する容器部、蓋部、該容器部と該蓋部とを接続するヒンジ部から構成され、該容器部および該蓋部は夫々を囲周してフランジ部を有し、両フランジ部の一端は該ヒンジ部を介して接続され、かつ発泡性合成樹脂で一体成型される方形の納豆容器であって、納豆を収納した該容器部と該蓋部とが閉じられた後、該ヒンジ部に対向する両フランジ部がスポット熱融着して封緘される納豆容器において、線状の切断子の少なくとも一部分がテープ状の粘着性薄片を用いて該ヒンジ部の折り曲げ部分に接して内側に粘着され、かつ該切断子は、該切断子の端部を封緘された該納豆容器に対して水平方向に外側へ引張った際に該ヒンジ部を容易に破断できると共に、破断部分が小さな破片を生じることなく破断できる引張強度を有し、さらに該切断子の両端部は該ヒンジ部から外方向に延び、その端部は該納豆容器の外側に固定されてなる納豆容器である。【００１９】  第三の好ましい態様は、上面が開放され、納豆を収納する容器部、蓋部、該容器部と該蓋部とを接続するヒンジ部から構成され、該容器部および該蓋部は夫々を囲周してフランジ部を有し、両フランジ部の一端は該ヒンジ部を介して接続され、かつ発泡性合成樹脂で一体成型される方形の納豆容器であって、納豆を収納した該容器部と該蓋部とが閉じられた後、該ヒンジ部に対向する両フランジ部がスポット熱融着して封緘される納豆容器において、少なくとも一部分が粘着性物質で被覆された環状の切断子が該ヒンジ部の折り曲げ部分に接して内側に粘着され、かつ該切断子は、該ヒンジ部から外方向に伸びる円弧部分を封緘された該納豆容器に対して水平方向に外側へ引張った際に該ヒンジ部を容易に破断できると共に、破断部分が小さな破片を生じることなく破断できる引張強度を有し、さらに該納豆容器の外側に伸びる該切断子の円弧部分は、該納豆容器の外側に固定されてなる納豆容器である。【００２０】  第四の好ましい態様は、上面が開放され、納豆を収納する容器部、蓋部、該容器部と該蓋部とを接続するヒンジ部から構成され、該容器部および該蓋部は夫々を囲周してフランジ部を有し、両フランジ部の一端は該ヒンジ部を介して接続され、かつ発泡性合成樹脂で一体成型される方形の納豆容器であって、納豆を収納した該容器部と該蓋部とが閉じられた後、該ヒンジ部に対向する両フランジ部がスポット熱融着して封緘される納豆容器において、環状の切断子の少なくとも一部分がテープ状の粘着性薄片を用いて該ヒンジ部の折り曲げ部分に接して内側に粘着され、かつ該切断子は、該ヒンジ部から外方向に伸びる円弧部分を封緘された該納豆容器に対して水平方向に外側へ引張った際に該ヒンジ部を容易に破断できると共に、破断部分が小さな破片を生じることなく破断できる引張強度を有し、さらに該納豆容器の外側に伸びる該切断子の円弧部分は、該納豆容器の外側に固定されてなる納豆容器である。
【発明の効果】
【００２１】  本発明の納豆容器は、ヒンジ部の折り曲げ部分に接して内側に線状の切断子を配置したことによって、使用者は、該納豆容器を開蓋する際に破損して内容物がこぼれたり指先が汚れたりすることなく、極めて容易に開蓋できるという効果がある。
特に、高齢者、幼児、あるいは手に障がいのある者においては、多くの場合補助者が開蓋しなければならないという問題を回避できる。また、線状の切断子に替えて環状の切断子を用いる場合には、使用者は、該納豆容器の外側に伸びる環状の切断子の円弧部分に、指を掛けて引くという簡単な操作で、より容易に開蓋できるというさらなる利点がある。【００２２】  さらに、線状の切断子は、複雑な構成を必要とすることなく、また納豆容器に特殊な工程を必要とすることなく配置できることから、納豆容器は、従来と殆ど同等の製造方法で極めて容易に製造できるという効果がある。
【図面の簡単な説明】
【００２３】
【図１】  本発明の納豆容器について、線状の切断子を配置した一実施形態の斜視図であって、蓋部を閉じた状態を示す。
【図２】  図１の納豆容器において、納豆容器をＳ−Ｓ線で切断したときのヒンジ部のみの断面図である。線状の切断子がヒンジ部の折り曲げ部分に接して内側に配置された状態を示す。
【図３】  図１の納豆容器において、線状の切断子を配置した一実施形態の斜視図であって、蓋部を開いた状態を示す。
【図４】  図１の納豆容器において、線状の切断子の一端を納豆容器にスポット熱溶着して配置した一実施形態の斜視図であって、蓋部を閉じた状態を示す。
【図５】  図１の納豆容器において、線状の切断子に替えて環状の切断子を配置した一実施形態の斜視図であって、蓋部を閉じた状態を示す。
【図６】  図５の納豆容器において、少なくとも一部分に粘着性物質を被覆した環状の切断子をヒンジ部の折り曲げ部分に接して内側に粘着させた一実施形態の斜視図であって、蓋部を開いた状態を示す。
【図７】  図５の納豆容器において、環状の切断子の少なくとも一部分を、テープ状の粘着性薄片を用いてヒンジ部の折り曲げ部分に接して内側に粘着させた一実施形態の斜視図であって、蓋部を開いた状態を示す。
【図８】  図１の納豆容器において、線状の切断子によってヒンジ部を破断した後の蓋部の状態を示す側面図である。
【発明を実施するための形態】
【００２４】  以下に、本発明を、図面を用いて説明する。
図１において、納豆容器Ａは、少量の納豆を収納すると共に、必要に応じてカラシやだし汁などの調味料を収納できる方形の形状のものであり、納豆容器Ａの輸送時に破損または開蓋して内容物が流出することがなく、かつ不純物が外部から混入しないものである。容器部１は、その開放部分に沿ってフランジ部３ａを有し、また蓋部２は、閉じられた際に容器部１のフランジ部３ａに合わさるようにフランジ部３ｂを有する。容器部１のフランジ部３ａと蓋部２のフランジ部３ｂの一辺は、ヒンジ部４を介して接続される。線状の切断子５ａは、ヒンジ部４の折り曲げ部分に接した状態で、容器部１のフランジ部３ａと蓋部２のフランジ部３ｂとの間に挟み込まれるように配置され、閉じられた容器部１と蓋部２を切り離して開蓋する際に用いられる。ヒンジ部４に対向する位置にある容器部１と蓋部２の両フランジ部３ａ、３ｂは、７ａ、７ｂ、７ｃでスポット熱溶着されて封緘される。
図２は、図１の納豆容器ＡをＳ−Ｓ線で切断したときのヒンジ部４のみの断面図である。線状の切断子５ａがヒンジ部４の折り曲げ部分に接して内側に配置された状態を示す。ヒンジ部４は、折り曲げ部分に、二か所の肉薄部１０を設けた構造のものである。このような構造のものであることから、接続された容器部１および蓋部２を閉じる際に、ヒンジ部４は容易に折り曲げられることができ、しかもヒンジ部４は切断子５ａにより容易に破断されることができる。
図３は、容器部１を蓋部２で閉じる前の状態であって、線状の切断子５ａをヒンジ部４の折り曲げ部分に接して内側に配置した状態を示す。
【００２５】  これらの容器部１、蓋部２、およびヒンジ部４は、使用目的に応じて種々の形状のものを採用することができ、通常、発泡スチロールなどの発泡性合成樹脂から一体成型される。ヒンジ部４の構造は、図２のものに限定されるものでなく、容器部１と蓋部２が、ヒンジ部４で容易に折り曲げられて閉蓋されることができ、しかもヒンジ部４を容易に破断できる構造のものであればよい。例えば、ヒンジ部４は、接続された容器部１と蓋部２とが容易に閉じられるように、フランジ部３ａ、３ｂより単に薄肉にしたものであってもよい。また切断子５ａを用いてヒンジ部４をより容易に破断できるように、ヒンジ部４に、破断し易いミシン目状の切れ込みを設けてもよい。
【００２６】  線状の切断子５ａは、その両端が納豆容器Ａから外方向に伸びて納豆容器Ａに固定される。図１の納豆容器Ａにおいては、切断子５ａの両端は、小さな粘着紙６ａで貼りつけて固定される。また図１に示されるように、その一端は、指で摘まんでヒンジ部４を破断する際に、指が滑らないように結び止めされてもよい。しかし、納豆容器Ａが開蓋された後に、切断子５ａが誤って内容物に混入しないように、また誤って口中に入ることがないように、その一端は該納豆容器Ａに十分な強度で固定され、使用後の該納豆容器Ａと共に確実に廃棄されることが好ましい。
【００２７】  さらに、図１の線状の切断子５ａがスポット熱溶着可能な合成樹脂製である場合には、図４に示すように、その一端は、フランジ部３ｂにスポット熱溶着することができる。スポット熱溶着することにより、切断子５ａは、開蓋された後においても納豆容器Ａに確実に固定される。しかも、納豆容器Ａを製造する際に、スポット熱溶着という簡単な工程で端部を固定することができると共に、粘着紙で貼りつける工程が不要となる。この場合、切断子５ａは、直接にスポット熱溶着できる素材である必要はなく、スポット熱溶着可能な素材を併用することにより、スポット熱溶着して固定することもできる。
【００２８】  線状の切断子５ａに替えて、環状の切断子５ｂを用いてもよい。この場合、環状の切断子５ｂの一部分は、該ヒンジ部４の折り曲げ部分に接して内側に挟み込まれ、ヒンジ部４から外方向に伸びる円弧部分は、納豆容器Ａに固定される（図５）。環状の切断子５ｂを用いた場合には、指が掛かり易いことから、ヒンジ部４をより容易に破断することができる。また、環状の切断子５ｂがスポット熱溶着可能な場合には、その一部分をスポット熱溶着して固定することもできる。
【００２９】  また、線状の切断子５ａ、環状の切断子５ｂのいずれを用いる場合も、切断子は、ヒンジ部４の折り曲げ部分に接するように内側に配置されることが肝要である。折り曲げ部分に接しない場合には、使用時にヒンジ部４を容易に破断することが困難な場合がある。
【００３０】  線状の切断子５ａを、ヒンジ部４の折り曲げ部分に接するように内側に確実に保持するために、線状の切断子５ａは、その少なくとも一部分が粘着性物質で被覆され、上記納豆容器Ａのヒンジ部４の折り曲げ部分に沿って内側に粘着されることができる。さらに、線状の切断子５ａは、その少なくとも一部分が、テープ状の粘着性薄片を用いて上記納豆容器Ａのヒンジ部４の折り曲げ部分に沿って内側に粘着されることができる。
【００３１】  環状の切断子５ｂについても、同様にして、環状の切断子５ｂをヒンジ部４の折り曲げ部分に接するように内側に確実に保持することができる。
図６に、少なくとも一部分に粘着性物質を被覆した環状の切断子５ｂをヒンジ部４の折り曲げ部分に接して内側に粘着させた状態を示す。環状の切断子５ｂは主要部分のみを示す。
図７に、環状の切断子５ｂの少なくとも一部分を、テープ状の粘着性薄片９を用いてヒンジ部４の折り曲げ部分に接して内側に粘着させた状態を示す。図６と同様に、環状の切断子５ｂは主要部分のみを示す。
【００３２】  線状の切断子５ａを、ヒンジ部４の折り曲げ部分に接して内側に粘着することにより、線状の切断子５ａは、ヒンジ部４の折り曲げ部分に沿って内側に確実に保持されることから、本発明の線状の切断子５ａは、納豆容器Ａを製造する際にヒンジ部４に容易に配置され、しかもヒンジ部４を破断する際に好都合に配置される。
【００３３】  粘着性物質、および粘着性薄片の粘着力はいずれも、線状の切断子５ａをヒンジ部４の折り曲げ部分に沿って内側に粘着して固定でき、かつヒンジ部４を破断する際に、線状の切断子５ａが折り曲げ部分から容易に剥離可能なものであればよく、さらに粘着性薄片の粘着力は、ヒンジ部４を破断した後に、ヒンジ部４に粘着して残存する粘着性薄片がヒンジ部４から容易に剥離できる程度のものでよい。
【００３４】  線状の切断子５ａは、納豆容器Ａを開蓋する際に、発泡スチロール製などのヒンジ部４を容易に破断できる強度を有すると共に、破断部分が小さな破片を生じて内容物に混入しないものであればよく、特段の材質、形状を必要としない。例えば、切断子５ａは、適切な引張強度を有する植物繊維糸、合成樹脂糸、金属糸などを用いることができる。また、切断子５ａは、糸状のものに限ることなく、ヒンジ部４を破断できるものであれば細長い扁平な形状のものでもよい。しかし、切断子５ａは、使用後に、納豆容器Ａと共に廃棄処理できる植物系または合成樹脂系のものであることが好ましい。併せて、切断子５ａは、ヒンジ部４を破断する際に、指先を切傷しない素材、形態であることが肝要である。上記の各点から、適切な切断子５ａとしては、例えば木綿糸、絹糸などの植物繊維糸、およびポリエチレン、ポリプロピレン、ポリスチレンなどの合成樹脂糸、これらの撚糸、またはこれらの細い扁平形状のものが挙げられる。
なお、環状の切断子５ｂとしても、同様の材質、形状のものが選定できる。輪ゴムでも引張って伸びが大きすぎなければ採用できる。
【００３５】  本発明の納豆容器Ａを開蓋する際には、納豆容器Ａの外側に固定された線状の切断子５ａの端部を指先で摘まんで剥がし、ヒンジ部４に対して斜め方向にヒンジ部４を切断するように引くことによって、ヒンジ部４は容易に破断される。線状の切断子５ａがスポット熱溶着可能な合成樹脂製である場合も、同様にして、ヒンジ部４は容易に破断される。
環状の切断子５ｂが用いられる場合には、納豆容器Ａの外側にある円弧部分に指を掛けて、納豆容器Ａに対して水平方向に外側へ引くことによって、ヒンジ部４は容易に破断される。
【００３６】  次いで、蓋部２のヒンジ部４を、容器部１の上方向にさらに押し開く（図８）。これにより、ヒンジ部４に対向するフランジ部３ａ、３ｂに位置するスポット熱融着部７ａ、７ｂ、７ｃが容易に破断される。すなわち、本発明の納豆容器Ａは、極めて容易に開蓋される。
【００３７】  本発明の納豆容器Ａは、発泡性合成樹脂を一体成型して製造する工程ａと、上記切断子５ａの少なくとも一部分に粘着性物質を被覆する工程ｂと、粘着性物質を被覆した切断子５ａをヒンジ部４の折り曲げ部分に接して内側に粘着させる工程ｃとを含むようにして、容易に製造することができる。また、本発明の納豆容器Ａは、発泡性合成樹脂を一体成型して製造する工程ａと、テープ状の粘着性薄片９を用いて、切断子５ａの少なくとも一部分をヒンジ部４の折り曲げ部分に接して内側に粘着させる工程ｄとを含むようにして、容易に製造することもできる。
【００３８】  なお、本発明の納豆容器Ａを上記の方法により製造した後、少量の納豆、付帯されるカラシやだし汁などの調味料を収納すれば、食卓用納豆として市場に提供できるが、食卓用納豆を製造する工程に、上記の工程ｂおよび工程ｃ、または工程ｄを組み込んでもよい。
【実施例】
【００３９】  以下、本発明を実施例により具体的に説明するが、本発明はこれら実施例によってのみ限定されるものではない。
【実施例１】
【００４０】  上面が開放され、納豆を収納する容器部、蓋部、該容器部と該蓋部を接続するヒンジ部から構成される方形の納豆容器を、発泡スチレンから一体成型し、線状の切断子を該ヒンジ部の折り曲げ部分に接して内側に配置して本発明の納豆容器を製造した。【００４１】  図１は、納豆容器Ａの斜視図であって、納豆容器Ａは、容器部１が蓋部２で閉じられた状態を表す。蓋部２は、四周にフランジ部３ｂを有し、その一辺は、ヒンジ部４を介して容器部１のフランジ部３ａに接続される。容器部１と蓋部２は、ヒンジ部４で折り曲げられて、納豆容器Ａは閉じられる。また、線状の切断子５ａは、＃２０のボタン用木綿糸であり、ヒンジ部４の折り曲げ部分に接して内側に配置され、その一方の端部は、ヒンジ部４から外方向に伸びて、蓋部２に粘着テープ６ａを用いて固定される。また、他方の端部は、蓋部２に粘着テープ６ｂを用いて固定され、その先端は指で摘まんだ際に滑らないように結び止めされている。さらに、容器部１が蓋部２で封緘される際に、ヒンジ部４に対向する位置にある容器部１と蓋部２の両フランジ部３ａ、３ｂは、７ａ、７ｂ、７ｃでスポット熱溶着される。
図２は、図１の納豆容器ＡをＳ−Ｓで切断したときのヒンジ部分の断面図であり、線状の切断子５ａが、ヒンジ部４の折り曲げ部分に接して内側に配置された状態を示す。図３に、線状の切断子５ａをヒンジ部４に配置した状態を示す。線状の切断子５ａを配置した後、納豆容器Ａは封緘される。【００４２】  実施例１の納豆容器Ａを開蓋する場合は、納豆容器Ａを片手で持ち、切断子５ａを挟み込んだヒンジ部４の端部を上下から指で軽く押さえ、別の手指を用いて納豆容器Ａに固定された粘着テープ６ｂを蓋部２から剥がした後、切断子５ａの結び止めされた端部を摘まみ、ヒンジ部４を切断するように引いて、ヒンジ部４を破断する。【００４３】  図８は、納豆容器Ａの側面図であり、ヒンジ部４を破断した後、蓋部２のヒンジ部４を矢印方向にさらに持ち上げた状態を表す。持ち上げることにより、ヒンジ部４に対向するフランジ部のスポット熱溶着部７ａ、７ｂ、７ｃは、容易に破断される。すなわち、納豆容器Ａは容易に開蓋される。
【実施例２】
【００４４】  実施例２は、実施例１の納豆容器Ａにおいて、合成樹脂製の線状の切断子５ｃを用いたものである。切断子５ｃの一端を、フランジ部３ｂの端部表面７ｄにスポット熱溶着して固定したものである。図３に斜視図を示す。切断子５ｃは納豆容器Ａに熱融着して固定されることから、使用後に納豆容器Ａと共に確実に廃棄される。【００４５】  実施例２の納豆容器Ａは、実施例１と同様にして開蓋することができる。納豆容器Ａを片手で持ち、切断子５ｃがスポット熱溶着されたヒンジ部４の一端を上下から指で軽く押さえ、別の手指を用いて、納豆容器Ａに固定された粘着テープ６ｄを蓋部２から剥がし、ヒンジ部４を切断するように引いて、ヒンジ部４を破断する。破断した後、図８に示すように、蓋部３のヒンジ部４を矢印方向にさらに持ち上げることにより、ヒンジ部４に対向するフランジ部のスポット熱溶着部７ａ、７ｂ、７ｃは、容易に破断される。すなわち、納豆容器Ａは容易に開蓋される。
【実施例３】
【００４６】  実施例３は、実施例１の納豆容器Ａにおいて、線状の切断子５ａに替えて環状の切断子５ｂを配置したものである。図５に斜視図を示す。環状の切断子５ｂは、タコ糸５号の両端を結糸したものである。環状の切断子５ｂの主要部分は、実施例１と同様に、容器部１と蓋部２とを接続するヒンジ部４の折り曲げ部分に接して内側に配置される。他の部分は、ヒンジ部４から外方向に伸びて円弧をなし、蓋部２に粘着テープ６ｃで固定される。【００４７】  実施例３の納豆容器Ａを開蓋する場合は、納豆容器Ａを片手で持ち、切断子５ｂを挟み込んだヒンジ部４の一端を上下から指で軽く押さえ、別の手指を用いて、納豆容器Ａに固定された粘着テープ６ｃを蓋部２から剥がし、ヒンジ部４から外方向に延びる切断子５ｂの円弧部分に指を掛け、ヒンジ部４を切断するように引いて、ヒンジ部４を破断する。破断した後、図８に示すように、蓋部３のヒンジ部４を矢印方向にさらに持ち上げることにより、ヒンジ部４に対向するフランジ部のスポット熱溶着部７ａ、７ｂ、７ｃは、容易に破断される。すなわち、納豆容器Ａは容易に開蓋される。
【実施例４】
【００４８】  実施例４は、実施例１の納豆容器Ａにおいて、線状の切断子５ａに替えて環状の切断子５ｂを配置したものであり、しかも環状の切断子５ｂの少なくとも一部分が粘着性物質で被覆され、上記納豆容器Ａのヒンジ部４の折り曲げ部分に接して内側に粘着されたものである。図６に斜視図を示す。図６には、環状の切断子５ｂの一部分が示される。粘着性物質は、切断子５ｂおよびヒンジ部４のいずれにも粘着性があるものを使用する。【００４９】  実施例４の納豆容器Ａは、実施例３と同様にして開蓋することができる。納豆容器Ａを片手で持ち、切断子５ｂを挟み込んだヒンジ部４の一端を上下から指で軽く押さえ、別の手指を用いて、納豆容器Ａに固定された粘着テープ６ｃを蓋部２から剥がし、ヒンジ部４から外方向に延びる切断子５ｂの円弧部分に指を掛け、ヒンジ部４を切断するように引いて、ヒンジ部４を破断する。破断した後、図８に示すように、蓋部３のヒンジ部４を矢印方向にさらに持ち上げることにより、ヒンジ部４に対向するフランジ部のスポット熱溶着部７ａ、７ｂ、７ｃは、容易に破断される。すなわち、納豆容器Ａは容易に開蓋される。
【実施例５】
【００５０】  実施例５は、実施例１の納豆容器Ａにおいて、線状の切断子５ａに替えて環状の切断子５ｂを配置したものであり、しかも環状の切断子５ｂの少なくとも一部分を、テープ状の粘着性薄片９を用いてヒンジ部４の折り曲げ部分に接して内側に粘着されたものである。図７に斜視図を示す。図７には、実施例４におけると同様に、環状の切断子５ｂの一部分が示される。テープ状の粘着性薄片９は、切断子５ｂおよびヒンジ部４のいずれにも粘着性があるものを使用する。【００５１】  実施例５の納豆容器Ａは、実施例３と同様にして開蓋することができる。納豆容器Ａを片手で持ち、切断子５ｂを挟み込んだヒンジ部４の一端を上下から指で軽く押さえ、別の手指を用いて、納豆容器Ａに固定された粘着テープ６ｃを蓋部２から剥がし、ヒンジ部４から外方向に延びる切断子５ｂの円弧部分に指を掛け、ヒンジ部４を切断するように引いて、ヒンジ部４を破断する。破断した後、図８に示すように、蓋部３のヒンジ部４を矢印方向にさらに持ち上げることにより、ヒンジ部４に対向するフランジ部のスポット熱溶着部７ａ、７ｂ、７ｃは、容易に破断される。すなわち、納豆容器Ａは容易に開蓋される。
【産業上の利用可能性】
【００５２】  本発明は、少量の納豆を例えばカラシやだし汁と共に収納して食卓に供する納豆容器として有用である。極めて容易に開蓋できることから、健常者はもとより、高齢者、幼児、あるいは手に障がいのある者などが取り扱いやすい納豆容器として有効に利用できる。しかも、納豆容器の製造工程を複雑にすることなく、安価に製造できる。
【符号の説明】
【００５３】Ａ  納豆容器
１  容器部
２  蓋部
３ａ、３ｂ  フランジ部
４  ヒンジ部
５ａ、５ｃ  線状の切断子
５ｂ  環状の切断子
６ａ、６ｂ、６ｃ、６ｄ  粘着テープ
７ａ、７ｂ、７ｃ、７ｄ  スポット熱溶着部
８  粘着性物質を被覆した部分
９  テープ状の粘着性薄片
１０  肉薄部
【図１】
2017210294.tif 000003
【図２】
2017210294.tif 000004
【図３】
2017210294.tif 000005
【図４】
2017210294.tif 000006
【図５】
2017210294.tif 000007
【図６】
2017210294.tif 000008
【図７】
2017210294.tif 000009
【図８】
2017210294.tif 000010